(57)【特許請求の範囲】
【請求項１】
洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程中最初よりも後の方が少なくとも洗浄ポンプの運転時間を長くした食器洗い機。
【請求項２】
洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水と排水行程を同時に所定時間行い、その後給水・洗浄ポンプ運転・排水行程のサイクルを少なくとも１回行う消泡行程を有する食器洗い機。
【請求項３】
消泡行程の終了後に異常報知を行う請求項２に記載の食器洗い機。
【請求項４】
洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程の給水水位は少なくとも１回は他の給水水位より高くした食器洗い機。
【請求項５】
洗浄槽と、この洗浄槽内に回転自在に配設した洗浄ノズルと、この洗浄ノズルに洗浄水を供給する洗浄ポンプと、前記洗浄槽内の多量の泡立ちを検知する泡検知手段とを備え、前記泡検知手段により洗浄行程中に泡検知を行ったとき、前記洗浄ポンプを運転しながら排水行程を行い、その後給水・洗浄ポンプ運転・排水行程のサイクルを複数回繰り返す消泡行程を行う食器洗い機。
【請求項６】
入力操作を行う入力手段を備え、前記入力手段により消泡行程を運転する請求項１〜５のうちいずれか一項に記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
従来、この種の食器洗い機は図８に示すように構成していた。以下、その構成について説明する。
【０００３】
図に示すように、洗浄槽１は、食器類２を内部に収容するとともに、給水弁３から洗浄水を供給し、底部に溜めている。洗浄ノズル４は、洗浄槽１内に回転自在に支持され、食器類２に向けて洗浄水を噴射する。洗浄ポンプ５は洗浄水を洗浄ノズル４に送り込むものである。また、排水ポンプ６は、洗浄水を機外に排出するものである。
【０００４】
水位検知手段７は、洗浄槽１内の水位を検知し、電気信号として出力する。制御装置８は、給水弁３、洗浄ポンプ５、排水ポンプ６などを制御して、洗い・すすぎ・乾燥の各行程を逐次制御するように構成している。洗浄槽１の底部に、循環する洗浄水を溜める排水口部９を設け、ここから洗浄ポンプ５、排水ポンプ６へ洗浄水を循環する。
【０００５】
食器洗い機の基本的な動作を以下に簡単に述べると、使用者が食器類２を洗浄槽１内に収容し、洗剤を入れて運転を開始すると、まず、洗浄槽１の底部に水位検知手段７が所定の水位を検知するまで給水弁３から水道水が給水される。そして、洗浄ポンプ５およびヒータ（図示せず）に通電され、洗浄水は加熱されながら洗浄ノズル４から噴出され、食器類２を洗浄する。このとき、洗剤は、界面活性剤による泡立ちを抑えた食器洗い機専用洗剤を使用する。
【０００６】
また、所定の洗浄行程を終えた後、排水ポンプ６により汚染物を含んだ洗浄水を機外に排出する。つぎに、新たに水道水が給水され、前述の洗浄行程と同様の動作を数分間行うすすぎ行程を数回繰り返し行う。
【０００７】
【発明が解決しようとする課題】
このような従来の食器洗い機では、使用者が誤って、一般の台所用洗剤を使用した場合、洗浄ポンプ５および排水ポンプ６の羽根車によって撹拌され洗浄水に多量の泡が発生し、洗浄水の量が減少する。洗浄ポンプ５および排水ポンプ６は、空気を多量に含むと羽根車が空回りをして機能が低下する。よって、洗浄ポンプ５は洗浄水を洗浄ノズル４に供給できないため、食器類２の洗浄力が低下し、また、排水ポンプ６は機外への排水能力が低下する。
【０００８】
また、このとき、洗剤水の大半が泡になっており、水面より上方に存在するため、排水ポンプ６ではその一部しか除去することができなくなり、つぎに使用する際も、一旦入った一般台所用洗剤を除去しておかなければ、残留した洗剤により泡が発生するため使用ができなくなるという問題を有していた。
【０００９】
また、泡を除去するためには洗浄槽１に残留する泡を除去するように給水を行い、洗剤水を希釈してから排水をする作業を数回繰り返せばよいが、作業が手間であり、一般使用者には容易に行うことができない。
【００１０】
また、泡を検知する手段を設けて洗浄行程の途中で泡を検知した場合、洗浄ポンプ５を停止すると、水位が上昇し、水面の上方に存在する泡が洗浄槽１の開口部や水位検知手段７よりも上に上昇して、場合によっては、機外に流出するという問題を有していた。
【００１１】
本発明は上記課題を解決するもので、使用者が誤って一般の台所用洗剤を使用した場合でも、自動的に効率よく洗剤を除去して次回の使用を可能にし、使い勝手を向上することを目的としている。
【００１２】
【課題を解決するための手段】
本発明は上記目的を達成するために、洗浄槽内に洗浄ノズルを回転自在に配設し、この洗浄ノズルに洗浄ポンプより洗浄水を供給し、泡検知手段により洗浄槽内の泡立ちを検知するよう構成し、泡検知手段により所定量以上の泡を検知したとき、排水運転を行った後、給水・洗浄ポンプ運転・排水行程のサイクルを複数回繰り返す消泡行程を行うよう構成したものである。
【００１３】
これにより、使用者が誤って一般の台所用洗剤を使用した場合でも、自動的に効率よく洗剤を除去することができて、次回の使用を可能にすることができ、使い勝手を向上することができる。
【００１５】
【発明の実施の形態】
請求項１に記載の発明は、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程中最初よりも後の方が少なくとも洗浄ポンプの運転時間を長くしたものであり、使用者が誤って一般の台所用洗剤を使用した場合に、洗浄ポンプが泡を吸い込みポンプ能力が低下する程度の量が発生したとき、泡検知手段によりこれを検知して、排水運転を行った後に行う消泡行程で、複数回の消泡行程中最初よりも後の方が少なくとも洗浄ポンプの運転時間を長くすることで、残留する洗剤の濃度の減少に合わせて自動的に、かつ、効率よく洗剤を除去することができ、次回の使用を可能にすることができ、使い勝手を向上することができる。
【００１６】
請求項２に記載の発明は、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水と排水行程を同時に所定時間行い、その後給水・洗浄ポンプ運転・排水行程のサイクルを少なくとも１回行う消泡行程を有するものであり、使用者が誤って一般の台所用洗剤を使用した場合に、洗浄ポンプが泡を吸い込みポンプ能力が低下する程度の量が発生したとき、泡検知手段によりこれを検知して、排水運転を行った後、給水と排水行程を同時に所定時間行うことで、給水により、排水ポンプの能力を一時的に回復することができ、洗浄ポンプ・排水ポンプへの配管に残留する泡および洗剤濃度の高い洗浄水を機外へ排出できるため、その後の給水・洗浄ポンプ運転・排水行程のサイクルによる洗浄槽の泡を効率よく除去することができる。
請求項３に記載の発明は、請求項２に記載の発明において、消泡行程の終了後に異常報知を行うものであり、使用者が誤って一般の台所用洗剤を使用した場合に、洗浄ポンプが泡を吸い込みポンプ能力が低下する程度の量が発生したとき、泡検知手段によりこれを検知して、排水運転を行った後、消泡行程を行うことで、効率よく洗剤を除去することができ、次回の使用を可能にすることができ、使い勝手を向上することができるとともに、消泡行程の終了後に異常報知を行うことで、消泡行程の途中に、使用者が誤って運転を停止するのを防止することができる。
【００１７】
請求項４に記載の発明は、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程の給水水位は少なくとも１回は他の給水水位より高くしたものであり、使用者が誤って一般の台所用洗剤を使用した場合に、洗浄ポンプが泡を吸い込みポンプ能力が低下する程度の量が発生したとき、泡検知手段によりこれを検知して、排水運転を行った後、消泡行程を行うことで、効率よく洗剤を除去することができ、次回の使用を可能にすることができ、使い勝手を向上することができるとともに、複数回の消泡行程の給水水位は少なくとも１回は他の給水水位より高くすることで、通常水位より高い位置に残留する泡を除去することができる。
【００２０】
請求項５に記載の発明は、洗浄槽と、この洗浄槽内に回転自在に配設した洗浄ノズルと、この洗浄ノズルに洗浄水を供給する洗浄ポンプと、前記洗浄槽内の多量の泡立ちを検知する泡検知手段とを備え、前記泡検知手段により洗浄行程中に泡検知を行ったとき、前記洗浄ポンプを運転しながら排水行程を行い、その後給水・洗浄ポンプ運転・排水行程のサイクルを複数回繰り返す消泡行程を行うものであり、洗浄行程途中の泡検知時に、洗浄ポンプの停止による水位上昇に伴う泡の上昇をなくすることができ、機外への泡の流出を防止することができる。
請求項６に記載の発明は、請求項１〜５のうちいずれか一項に記載の発明において、入力操作を行う入力手段を備え、前記入力手段により消泡行程を運転するものであり、使用者が誤って一般の台所用洗剤を使用し、洗浄ポンプが泡を吸い込みポンプ能力が低下する程度の量が発生した場合に、入力手段からの操作だけで容易に洗剤を除去することができる。また、自動に行う消泡行程での洗剤の除去が不十分であっても、再度消泡行程を運転することができ、使い勝手を向上することができる。
【００２１】
【実施例】
以下、本発明の実施例について、図面を参照しながら説明する。なお、従来例と同じ構成のものは同一符号を付して説明を省略する。
【００２２】
（実施例１）
図１に示すように、補助タンク１０は、洗浄槽１の近傍に設け、排水口部９と補助配管１１により連通している。入力手段１２は、入力操作を行うもので、洗浄槽１の前方に配設し、制御装置１３により給水弁３、洗浄ポンプ５、排水ポンプ６などを制御して、洗い・すすぎ・乾燥の各行程を逐次制御する。
【００２３】
補助タンク１０の上部に、図２に示すように、水位センサ１４と泡検知手段１５を設けており、水位センサ１４は、フロート１６により補助タンク１０（洗浄槽１）の水位を検知し、電気信号として出力する。また、泡検知手段１５は電極１７からなり、補助タンク１０内に泡が充満した場合に導通し、電気信号として出力する。
【００２４】
また、運転は制御装置１３によって水位センサ１４等からの電気信号をもとに、給水弁３、洗浄ポンプ５、排水ポンプ６などを制御して、洗い・すすぎ・乾燥の各行程を逐次制御する構成としている。
【００２５】
また、泡検知手段１５により所定量の泡、すなわち、洗浄ポンプ５が泡を吸い込みポンプ能力が低下する程度の量の泡を検知した場合、排水ポンプ６を運転し、排水行程を行った後、給水・洗浄ポンプ運転・排水行程のサイクル運転を複数回繰り返す消泡行程を運転するよう構成している。また、複数の消泡行程は、最初のサイクルより後の方が洗浄ポンプ５の運転時間と排水ポンプ６の運転時間を長くしている。
【００２６】
また、図３に示すように、入力手段１２には、消泡コーススイッチ１８を設け、前述の消泡行程を運転できるよう構成している。
【００２７】
上記構成において図４を参照しながら動作を説明する。使用者が誤って一般の台所洗剤等の食器洗い機用専用洗剤以外の洗剤を使用した場合、洗い行程において、洗浄水が洗浄ポンプ５で撹拌されることにより泡が多量に発生する。泡の量が増加するとともに、洗浄水の水位が下がり、補助配管１１を通って補助タンク１０に泡が充満し、泡検知手段１７により泡を検知すると、図４に示すような消泡行程を行う。このときの泡の量は、所定量、すなわち、洗浄ポンプ５が泡を吸い込みポンプ能力が低下する程度の量に設定している。
【００２８】
図４のステップ１９にて泡検知をすると、ステップ２０にて排水ポンプ６を駆動して排水行程を行う。その後、ステップ２１にて給水弁３を駆動し、所定水位まで給水し、ステップ２２にて洗浄ポンプ５を３秒間駆動し、ステップ２３にて排水ポンプ６を３０秒駆動・５秒停止・３０秒駆動の排水行程を行い、ステップ２４にてこれを４回繰り返す。
【００２９】
これにより、効率よく洗剤を除去することができ、次回の使用を可能にすることができ、使い勝手を向上することができる。
【００３０】
ここで、当初は泡が多く残り、給水をしても瞬間しか洗浄ポンプ５は機能しないが、消泡行程を繰り返すことで、泡の量が減少し次第に機能する運転時間が長くなる。これに合わせて、ステップ２５で給水し、ステップ２６で洗浄ポンプ５を１０秒間駆動し、ステップ２７にて排水ポンプ６を３０秒駆動・５秒停止・３０秒駆動の排水行程を行う。ステップ２８にてこれを２回繰り返すと、ステップ２９へ進み終了する。
【００３１】
このように、後の消泡行程中の洗浄ポンプ５の運転時間を長くしているため、残留する洗剤の濃度が高いときの洗浄ポンプ運転による、より一層の泡の発生を防ぐとともに、洗剤濃度が低下したとき、洗浄ポンプ５の運転時間を長くすることにより、洗浄槽１や食器類２に付着した洗剤を十分洗い流すことができ、自動的に効率よく泡を除去することができる。
【００３２】
また、洗剤洗剤の除去が不十分であっても、消泡コーススイッチ１８により、消法行程を運転することができるため、容易に十分な洗剤除去が可能となる。
【００３３】
なお、消泡コーススイッチ１８を設けず、他のスイッチの組み合わせで消泡行程を運転するようにしても同様の効果を得ることができる。
【００３４】
（実施例２）
図１に示す制御装置１３は、泡検知手段１５により所定量以上の泡を検知したとき、排水ポンプ６を運転して排水行程を行った後、給水と排水行程を同時に所定時間行い、その後給水・洗浄ポンプ運転・排水行程のサイクルを有する消泡行程を少なくとも１回行うよう構成している。また、消泡行程終了時に異常報知をするよう構成している。他の構成は実施例１と同じである。
【００３５】
上記構成において図５を参照しながら動作を説明する。使用者が誤って一般の台所洗剤等の食器洗い機用専用洗剤以外の洗剤を使用し、洗い行程において泡が多量に発生して、洗浄ポンプ５が泡を吸い込みポンプ能力が低下する程度の量になると、補助タンク１０に泡が充満し、泡検知手段１５により泡を検知する。
【００３６】
ステップ１９にて泡検知をすると、ステップ２０にて排水ポンプ６を駆動し、排水行程を行う。その後、ステップ３０にて給水弁３を駆動すると同時に排水ポンプを３０秒間駆動し、ステップ３１にて停止する。この補給水により、排水ポンプ６の能力を一時的に回復し、排水ポンプ６への配管に残留する泡および洗剤濃度の高い洗浄水を機外へ排出する。
【００３７】
この後、上記実施例１と同様に、ステップ２５にて所定水位まで給水し、ステップ２６で洗浄ポンプを１０秒間駆動し、ステップ２７にて排水ポンプを３０秒駆動・５秒停止・３０秒駆動の排水行程を行い、ステップ２８にてこれを２回繰り返す。このとき、残留する泡と洗剤の量が少なくなっているため、洗浄ポンプ５の運転によるさらなる泡の発生はなく、洗浄槽１や食器類２に付着した洗剤を効率よく除去することができる。
【００３８】
つぎに、消泡行程終了後のステップ３２にて泡による異常報知を行い、ステップ３３へ進み終了する。したがって、泡による異常報知を消泡行程終了後に行うため、消泡行程の途中で使用者が誤って運転を停止するのを防止することができる。
【００３９】
（実施例３）
図１に示す制御装置１３は、泡検知手段１５により所定量以上の泡を検知したとき、排水ポンプ６を運転して排水行程を行った後、給水・洗浄ポンプ運転・排水行程のサイクル運転を複数回繰り返す消泡行程を運転するよう構成し、この消泡行程の最後の行程では、他の消泡行程での給水水位より高くなるよう構成している。他の構成は実施例１と同じである。
【００４０】
上記構成において図６を参照しながら動作を説明する。使用者が誤って一般の台所洗剤等の食器洗い機用専用洗剤以外の洗剤を使用し、洗い行程において泡が多量に発生して、洗浄ポンプ５が泡を吸い込みポンプ能力が低下する程度の量になると、補助タンク１０に泡が充満し、泡検知手段１５により泡を検知する。
【００４１】
ステップ１９にて泡検知をすると、上記実施例１と同様に、ステップ２０にて排水ポンプを駆動し、排水行程を行う。その後、ステップ２１にて給水弁３を駆動して所定水位まで給水し、ステップ２２にて洗浄ポンプを３秒間駆動し、ステップ２３にて排水ポンプを３０秒駆動・５秒停止・３０秒駆動の排水行程を行い、ステップ２４にてこれを４回繰り返す。
【００４２】
この後、ステップ３４にて所定水位まで給水し、ステップ３５にてさらに１０秒間の給水を行い、ステップ３６にて洗浄ポンプ５を３秒間駆動し、ステップ３７にて排水ポンプ６を３０秒駆動・５秒停止・３０秒駆動の排水行程を行い、ステップ３８にてこれを２回繰り返す。
【００４３】
このように、ステップ３４以降の後の消泡行程では、水位センサ１４の水位検知後、さらに給水をして水位を高くしているため、前の消泡行程の水位では届かない上方に残留した泡を除去することができる。
【００４４】
（実施例４）
図１に示す制御装置１３は、泡検知手段１５により洗浄行程中に泡検知を行ったとき、洗浄ポンプ５を運転しながら排水行程を行い、その後給水・洗浄ポンプ運転・排水行程のサイクルを複数回繰り返す消泡行程を行うよう構成している。
他の構成は実施例１または３と同じである。
【００４５】
上記構成において図７を参照しながら動作を説明する。使用者が誤って一般の台所洗剤等の食器洗い機用専用洗剤以外の洗剤を使用し、洗い行程において泡が多量に発生して、洗浄ポンプ５が泡を吸い込みポンプ能力が低下する程度の量になると、補助タンク１０に泡が充満し、泡検知手段１５により泡を検知する。
【００４６】
ステップ１９にて泡検知をすると、上記実施例１と同様に、ステップ２０にて排水ポンプを駆動し、排水行程を行う。その後、ステップ３７にて洗浄ポンプ５と排水ポンプ６を同時に３０秒間駆動し、その後、上記実施例３と同様に、ステップ２１〜ステップ２４の動作と、ステップ３４〜ステップ３９の動作を行う。
【００４７】
ここで、洗浄ポンプ５と排水ポンプ６を同時に３０秒間駆動するため、洗浄水位が上昇することなく排水を行うことができる。よって、洗浄ポンプ５の停止による水位上昇にともなう泡の上昇をなくすることができ、機外への泡の流出を防止することができる。
【００４８】
【発明の効果】
以上のように本発明の請求項１に記載の発明によれば、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行うよう構成したから、使用者が誤って一般の台所用洗剤を使用した場合でも、自動的に効率よく洗剤を除去することができ、次回の使用を可能にすることができ、使い勝手を向上することができる。
【００４９】
また、請求項２に記載の発明によれば、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程中最初よりも後の方が少なくとも洗浄ポンプの運転時間を長くしたから、使用者が誤って一般の台所用洗剤を使用した場合でも、残留する洗剤の濃度の減少に合わせて自動的に、かつ、効率よく洗剤を除去することができ、次回の使用を可能にすることができ、使い勝手を向上することができる。
【００５０】
また、請求項３に記載の発明によれば、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水と排水行程を同時に所定時間行い、その後給水・洗浄ポンプ運転・排水行程のサイクルを少なくとも１回行う消泡行程を有するから、使用者が誤って一般の台所用洗剤を使用した場合に、排水運転を行った後の給水により、排水ポンプの能力を一時的に回復することができ、洗浄ポンプ・排水ポンプへの配管に残留する泡および洗剤濃度の高い洗浄水を機外へ排出できるため、その後の給水・洗浄ポンプ運転・排水行程のサイクルによる洗浄槽の泡を効率よく除去することができる。
【００５１】
また、請求項４に記載の発明によれば、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、給水・洗浄ポンプ運転・排水行程のサイクルを複数回繰り返す消泡行程を行い、前記複数回の消泡行程の給水水位は少なくとも１回は他の給水水位より高くしたから、使用者が誤って一般の台所用洗剤を使用した場合に、消泡行程を行うことで、効率よく洗剤を除去することができ、使い勝手を向上することができるとともに、複数回の消泡行程の給水水位は少なくとも１回は他の給水水位より高くすることで、通常水位より高い位置に残留する泡を除去することができる。
【００５２】
また、請求項５に記載の発明によれば、洗浄槽と、この洗浄槽内に回転自在に配設した洗浄ノズルと、この洗浄ノズルに洗浄水を供給する洗浄ポンプと、前記洗浄槽内の泡立ちを検知する泡検知手段とを備え、前記泡検知手段により所定量以上の泡を検知したとき、排水運転を行った後、洗浄槽内の泡立ちを消すための消泡行程を行い、この消泡行程の終了後に異常報知を行うから、使用者が誤って一般の台所用洗剤を使用した場合に、効率よく洗剤を除去することができ、次回の使用を可能にすることができ、使い勝手を向上することができるとともに、消泡行程の終了後に異常報知を行うことで、消泡行程の途中に、使用者が誤って運転を停止するのを防止することができる。
【００５３】
また、請求項６に記載の発明によれば、洗浄槽と、この洗浄槽内に回転自在に配設した洗浄ノズルと、この洗浄ノズルに洗浄水を供給する洗浄ポンプと、入力操作を行う入力手段を備え、前記入力手段により消泡行程を運転するから、使用者が誤って一般の台所用洗剤を使用し、洗浄ポンプが泡を吸い込みポンプ能力が低下する程度の量が発生した場合に、入力手段からの操作だけで容易に洗剤を除去することができる。また、自動に行う消泡行程での洗剤の除去が不十分であっても、再度消泡行程を運転することができ、使い勝手を向上することができる。
【００５４】
また、請求項７に記載の発明によれば、洗浄槽と、この洗浄槽内に回転自在に配設した洗浄ノズルと、この洗浄ノズルに洗浄水を供給する洗浄ポンプと、前記洗浄槽内の多量の泡立ちを検知する泡検知手段とを備え、前記泡検知手段により洗浄行程中に泡検知を行ったとき、前記洗浄ポンプを運転しながら排水行程を行い、その後給水・洗浄ポンプ運転・排水行程のサイクルを複数回繰り返す消泡行程を行うから、洗浄行程途中の泡検知時に、洗浄ポンプの停止による水位上昇に伴う泡の上昇をなくすることができ、機外への泡の流出を防止することができる。
【図面の簡単な説明】
【図１】本発明の第１の実施例の食器洗い機の縦断面図
【図２】同食器洗い機の要部拡大断面図
【図３】同食器洗い機の入力手段の正面図
【図４】同食器洗い機の要部フローチャート
【図５】本発明の第２の実施例の食器洗い機の要部フローチャート
【図６】本発明の第３の実施例の食器洗い機の要部フローチャート
【図７】本発明の第４の実施例の食器洗い機の要部フローチャート
【図８】従来の食器洗い機の縦断面図
【符号の説明】
１  洗浄槽
４  洗浄ノズル
５  洗浄ポンプ
１５  泡検知手段
【図１】
0004661001.tif 000002
【図２】
0004661001.tif 000003
【図３】
0004661001.tif 000004
【図４】
0004661001.tif 000005
【図５】
0004661001.tif 000006
【図６】
0004661001.tif 000007
【図７】
0004661001.tif 000008
【図８】
0004661001.tif 000009